(57)【要約】【課題】第１剤に第２剤が投入されたことが容器の外からでもすぐに判別できる混合容器を提案する。【解決手段】本発明の混合容器は、第１剤を収める容器本体２と、天壁３ａに、刃部３ｃと連通口３ｂとを設けたベース３と、壁部４ａの底部開口を閉鎖して第２剤を収容するシール部４ｂを有する充填体４と、連結片５ｂによって充填体４を支持するとともに、ベース３に対して上下動可能に装着されるキャップ５と、充填体４の上方に位置するとともにキャップ５に保持される識別体６とを備え、識別体６は、キャップ５を下方へ移動させて刃部３ｃがシール部４ｂを破断して第２剤が連通口３ｂを通して収容空間Ｓ１に導入される際、壁部４ａが天壁３ａに押し当たって充填体４がキャップ５に対して上方へ移動するに伴ってキャップ５から脱落するものである。【選択図】図１
2018203300.tif 000002
【特許請求の範囲】
【請求項１】
第１剤を収める収容空間を有する容器本体と、
前記容器本体の口部を覆う天壁を有し、該天壁に、上方へ向けて起立する刃部と前記収容空間に通じる連通口とを設けてなるベースと、
有蓋筒状をなす壁部と、該壁部の底部開口を閉鎖して該壁部との間に第２剤を収容するシール部とを有する充填体と、
前記充填体につながる連結片によって前記シール部が前記刃部及び前記連通口の上方に位置する状態で該充填体を支持するとともに、前記ベースに対して上下動可能に装着されるキャップと、
前記充填体の上方に位置するとともに前記キャップに保持される識別体と、を備える混合容器であって、
前記識別体は、前記キャップを下方へ移動させて前記刃部が前記シール部を破断して第２剤が前記連通口を通して前記収容空間に導入される際、前記壁部が前記天壁に押し当たって前記充填体が該キャップに対して上方へ移動するに伴って該キャップから脱落する混合容器。
【請求項２】
前記識別体は、前記キャップに設けた係止部に引っ掛かる爪部によって該キャップに保持される請求項１に記載の混合容器。
【請求項３】
前記キャップは、前記識別体の側壁を取り囲む環状壁を有し、該識別体は、該キャップに保持される際は該環状壁によって該側壁に近づく向きに撓む一方、該キャップから脱落した際は該側壁から離れる向きに復元する弾性片を有する請求項１又は２に記載の混合容器。
【請求項４】
前記識別体は、弱化部を介して前記キャップと連結することによって該キャップに保持される請求項１に記載の混合容器。
【請求項５】
前記ベースと前記キャップとの相互間に、該ベースに対する該キャップの下方への移動を阻止するバージンリングを備える請求項１〜４の何れか一項に記載の混合容器。
【発明の詳細な説明】
【技術分野】
【０００１】
本発明は、別々に収容した第１剤と第２剤を使用時に混合させることができる混合容器に関する。
【背景技術】
【０００２】
洗浄液や消毒液の他、各種の飲料等を収容する容器にあっては、一つの容器内に第１剤と第２剤を別々に収容しておき、使用時にはこれらを混合させることができる混合容器が使用されている。このような混合容器として、例えば特許文献１には、第１剤を収める収容空間を有する本体部と、この本体部の口部に装着されるベースと、ベースとの間で第２剤を収容するとともにベースに対してねじ止めされるキャップとを備え、キャップを締め込むことによってベースに保持した隔壁が外れて第２剤が収容空間に落下して第１剤と第２剤とが混ざり合う混合容器が示されている。このような混合容器によれば、第１剤を収容した容器の中に第２剤を投入する作業が省略できるため、使い勝手がよいという利点がある。
【先行技術文献】
【特許文献】
【０００３】
【特許文献１】特開２０１０−５２７８６号公報
【発明の概要】
【発明が解決しようとする課題】
【０００４】
従来の混合容器は、このような利点がある反面、第１剤に第２剤が投入されたことが容器の外からすぐに判別することが難しいという問題を抱えている。例えば特許文献１の混合容器においては、第２剤を投入するためにキャップを締め込むと、キャップはベースに近づくことになる。このため、キャップの位置を確認することによって第１剤に第２剤が投入されたことを知ることができるものの、一見しただけでキャップの位置の違いを判別するのは困難である。
【０００５】
本発明は、このような問題点を解決することを課題とするものであり、第１剤に第２剤が投入されたことが容器の外からでもすぐに判別できる混合容器を提供することを目的とする。
【課題を解決するための手段】
【０００６】
本発明は、第１剤を収める収容空間を有する容器本体と、
前記容器本体の口部を覆う天壁を有し、該天壁に、上方へ向けて起立する刃部と前記収容空間に通じる連通口とを設けてなるベースと、
有蓋筒状をなす壁部と、該壁部の底部開口を閉鎖して該壁部との間に第２剤を収容するシール部とを有する充填体と、
前記充填体につながる連結片によって前記シール部が前記刃部及び前記連通口の上方に位置する状態で該充填体を支持するとともに、前記ベースに対して上下動可能に装着されるキャップと、
前記充填体の上方に位置するとともに前記キャップに保持される識別体と、を備える混合容器であって、
前記識別体は、前記キャップを下方へ移動させて前記刃部が前記シール部を破断して第２剤が前記連通口を通して前記収容空間に導入される際、前記壁部が前記天壁に押し当たって前記充填体が該キャップに対して上方へ移動するに伴って該キャップから脱落する混合容器である。
【０００７】
前記識別体は、前記キャップに設けた係止部に引っ掛かる爪部によって該キャップに保持されることが好ましい。
【０００８】
前記キャップは、前記識別体の側壁を取り囲む環状壁を有し、該識別体は、該キャップに保持される際は該環状壁によって該側壁に近づく向きに撓む一方、該キャップから脱落した際は該側壁から離れる向きに復元する弾性片を有することが好ましい。
【０００９】
前記識別体は、弱化部を介して前記キャップと連結することによって該キャップに保持されることが好ましい。
【００１０】
前記ベースと前記キャップとの相互間に、該ベースに対する該キャップの下方への移動を阻止するバージンリングを備えることが好ましい。
【発明の効果】
【００１１】
本発明の混合容器では、ベースに向かってキャップを下方へ移動させることによって、ベースの刃部が第２剤を収容した充填体のシール部を破断し、これによって第１剤を収容した容器本体の収容空間に第２剤が導入される。またこの時、充填体の壁部はベースの天壁に押し当たってキャップに対して上方へ移動するため、充填体の上方に位置するとともにキャップに保持される識別体が、キャップから脱落する。すなわち、識別体がキャップに残っているか否かはすぐに判断できるため、第２剤の投入の有無を簡単に判別することができる。
【００１２】
ところで、キャップに識別体を保持するにあたっては、充填体のシール部が破断される前に識別体が脱落してしまうことを防止するために、シール部を破断する際の抵抗力に比してキャップに保持される識別体の保持力を高く設定しておくこととする。ここで、識別体に、キャップに設けた係止部に引っ掛かる爪部を設ける場合は、識別体をある程度強い保持力でもってキャップに保持しておくことができるため、シール部が破断される前に識別体が脱落してしまう不具合を有効に防止することができる。
【００１３】
またキャップに、識別体の側壁を取り囲む環状壁を設け、識別体に、キャップに保持される際はこの環状壁によって側壁に近づく向きに撓む一方、キャップから脱落した際は側壁から離れる向きに復元する弾性片を設ける場合は、脱落した識別体をキャップに取り付けようとしても、この弾性片が邪魔をしてキャップへの装着を防止することができる。これにより、第２剤が投入されているのに識別体がキャップに残っていることがなくなるため、第２剤の投入の有無を常に正しく判別することができる。
【００１４】
また識別体を、弱化部を介して前記キャップと連結することによっても、脱落した識別体の再装着を防止することができる。
【００１５】
そして、ベースとキャップとの相互間に、ベースに対するキャップの下方への移動を阻止するバージンリングを設ける場合は、不用意にキャップを移動させることがなくなるため、意図しない第２剤の投入を防止することができる。
【図面の簡単な説明】
【００１６】
【図１】本発明に従う混合容器の第１実施形態を示す、（ａ）は平面図であり、（ｂ）は側面視での半断面図である。
【図２】（ａ）は、図１に示すＡ−Ａに沿う断面図であり、（ｂ）は図１に示す識別体が脱落した状態を示す側面視での半断面図である。
【図３】本発明に従う混合容器の第２実施形態を示す、（ａ）は平面図であり、（ｂ）は側面視での半断面図である。
【図４】図３に示す識別体が脱落した状態を示す側面視での半断面図である。
【図５】本発明に従う混合容器の第３実施形態を示す、（ａ）は平面図であり、（ｂ）は側面視での半断面図である。
【図６】（ａ）は図５に示す識別体が脱落した際の平面図であり、（ｂ）は脱落した識別体を含む混合容器の側面視での半断面図である。
【発明を実施するための形態】
【００１７】
以下、図面を参照しながら本発明に従う混合容器の一実施形態について説明する。なお、本明細書等において「上」とは、容器本体（符号２）に対してキャップ（符号５）が位置する側であり、「下」とはその逆側である。
【００１８】
図１〜図２は、本発明に従う混合容器の第１実施形態を示している。本実施形態の混合容器１は、容器本体２、ベース３、充填体４、キャップ５、識別体６、バージンリング７を備えている。
【００１９】
容器本体２は、円筒状の口部２ａと、口部２ａの下端につながる胴部２ｂと、胴部２ｂの下端につながる不図示の底部とを備えている。口部２ａ、胴部２ｂ、及び底部の内側には、第１剤を収める収容空間Ｓ１が形成されている。また口部２ａの外周面には、ベース３を保持するための外向き突起２ｃが設けられている。
【００２０】
ベース３は、口部２ａの開口を覆う天壁３ａを備えている。天壁３ａの中央部分には、天壁３ａを貫く連通口３ｂが設けられている。また連通口３ｂの外縁部には、天壁３ａから上方に向けて尖るようにして起立する刃部３ｃが設けられている。更に天壁３ａの下面には、口部２ａの内周壁に液密に当接する環状のシール壁３ｄが設けられている。そして天壁３ａの上面には、円筒状の筒状壁３ｅが設けられていて、筒状壁３ｅの外周面には、雄ねじ部３ｆが設けられている。また天壁３ａの外縁部には、口部２ａを取り囲む周壁３ｇが設けられている。そして周壁３ｇの内周面には、外向き突起２ｃに係合してベース３を口部２ａに抜け止め保持する内向き突起３ｈが設けられている。更に、天壁３ａの外縁部における周壁３ｇの上方（図１に示すＡ−Ａ線が重なる部位）には、図２（ａ）に示すように、周方向に間隔をあけて設けられる凸部３ｊが設けられている。
【００２１】
充填体４は、有蓋筒状をなす壁部４ａを備えていて、壁部４ａの内側には、第２剤を収める充填空間Ｓ２が形成されている。なお、本実施形態の壁部４ａは、筒状部分が円筒状をなすとともに、上部部分はこれに合わせて円板状をなすものであるが、この形状に限定されるものではなく、例えば筒状部分を多角形の筒状とし、且つ上部部分をこれに合わせて多角形の板状としてもよい。また壁部４ａの底部開口には、薄手のシートで形成されるシール部４ｂが固着されていて、充填空間Ｓ２を閉鎖している。
【００２２】
キャップ５は、筒状壁３ｅの径方向内側に位置する円筒状の内周壁５ａを備えている。内周壁５ａの径方向内側には、壁部４ａと一体に連結する薄肉状の連結片５ｂが設けられている。また、内周壁５ａの上端部には、径方向外側に向けて延在するフランジ部５ｃが設けられていて、フランジ部５ｃの外縁部には、筒状壁３ｅの径方向外側に位置する円筒状の外周壁５ｄが設けられている。ここで、外周壁５ｄの内周面には、雄ねじ部３ｆに適合する雌ねじ部５ｅが設けられている。そして、外周壁５ｄの下端部には、径方向外側に延在した後、下方に向けて延在する段差壁５ｆが設けられている。またフランジ部５ｃには、図１（ｂ）の拡大図に示すように、その中央部分から上方に向けて立ち上がる内側環状壁５ｇが設けられていて、内側環状壁５ｇの外周面には、径方向外側に向けて突出する係止部５ｈが設けられている。また、内側環状壁５ｇの径方向外側には、外側環状壁５ｊが設けられている。
【００２３】
識別体６は、円板状をなす内側頂壁６ａと、内側頂壁６ａの径方向外側に位置するとともに内側頂壁６ａの外縁部と全周に亘って一体に連結する外側頂壁６ｂを備えている。内側頂壁６ａの下面には、壁部４ａの上面に向かって突出する下向き突起６ｃが設けられている。また、外側頂壁６ｂの外縁部には、図１（ｂ）の拡大図に示すように、下方に向けて延在して内側環状壁５ｇと外側環状壁５ｊとの間に位置する側壁６ｄが設けられている。そして側壁６ｄの内周面には、径方向内側に向けて突出して係止部５ｈに引っ掛かる爪部６ｅが設けられている。
【００２４】
バージンリング７は、ベース３とキャップ５との間に設けられるものである。本実施形態においては、ベース３の周壁３ｇとキャップ５の段差壁５ｆとの間に設けられている。本実施形態のバージンリング７は、図２（ａ）に示すように、天壁３ａの外縁部を取り囲むリング本体７ａを備えていて、リング本体７ａの内周面には、凸部３ｊに適合する凹部７ｂが設けられている。また、リング本体７ａの径方向外側には、円弧状の指掛け部７ｃが設けられている。なお、図２（ａ）に示すようにリング本体７ａと指掛け部７ｃとが連結する部位においては、リング本体７ａは局所的に薄肉になっている。このため、指掛け部７ｃを反転させるようにして引っ張れば、リング本体７ａを薄肉の部位から破断させることができる。
【００２５】
このような形態になる混合容器１では、上述したバージンリング７によって、キャップ５の下方への移動が阻止されている。すなわち、流通時等で不用意にキャップ５が下方へ移動する不具合を防止することができる。
【００２６】
そして第２剤を投入するにあたっては、まず、バージンリング７を取り除く作業を行う。本実施形態においては、指掛け部７ｃを引っ張ることによってリング本体７ａの薄肉部位が破断するため、バージンリング７を取り除くことができる。なおリング本体７ａは、図２（ａ）に示すように凸部３ｊが凹部７ｂに嵌まり込んでいて、指掛け部７ｃを反転させるようにして引っ張っても、リング本体７ａがベース３に対して回転することがない。このため、指掛け部７ｃに加える力が小さくても、薄肉部位を破断させることができる。
【００２７】
その後は、雄ねじ部３ｆと雌ねじ部５ｅが締まる向きにキャップ５を回転させる。これによりキャップ５は、図２（ｂ）に示すように、ベース３に向かって下方に移動する。この時、連結片５ｂによってキャップ５に連結する充填体４も回転しながら下方に移動するため、シール部４ｂは刃部３ｃによって破断する。これにより、第２剤は充填空間Ｓ２から流出し、連通口３ｂを通して収容空間Ｓ１に導入されるため、第１剤と第２剤を混合させることができる。
【００２８】
また、雄ねじ部３ｆと雌ねじ部５ｅが締まる向きにキャップ５を回転させることによって、壁部４ａの下端部が天壁３ａの上面に当接して壁部４ａはその位置で留まる一方で、キャップ５は下方に移動するため、充填体４には相対的に上方へ向かう力が作用する。このため充填体４は、図２（ｂ）に示すように、連結片５ｂを反転させつつ、キャップ５に対して上方へ移動する。これにより、壁部４ａの上面に当接していた識別体６にも上方へ向かう力が作用し、係止部５ｈと爪部６ｅとの係合が解かれて、識別体６がキャップ５から脱落する。すなわち、第２剤の投入に合わせて識別体６が脱落することになるため、識別体６がキャップ５に残っているか否かによって、第２剤の投入の有無を判別することができる。ところで、キャップ５に識別体６を保持するにあたっては、シール部４ｂが破断される前に識別体６が脱落してしまうことを防止するために、シール部４ｂを破断する際の抵抗力に比してキャップ５に保持される識別体６の保持力を高く設定しておくこととする。本実施形態のように、係止部５ｈと爪部６ｅによって識別体６をキャップ５に保持する場合は、ある程度強い保持力でもって識別体６を保持しておくことができるため、シール部４ｂが破断される前に識別体６が脱落してしまう不具合を有効に防止することができる。なお、キャップ５に識別体６を保持させておくには、例えば内側環状壁５ｇに対して側壁６ｄが圧入されるように構成するなど、種々の手法が採用可能である。
【００２９】
次に、本発明に従う混合容器の第２実施形態について、図３〜図４を参照しながら説明する。本実施形態の混合容器１１は、前述の識別体６に換えて識別体１６を備えるものである。
【００３０】
識別体１６は、円板状をなす内側頂壁１６ａと、内側頂壁１６ａの径方向外側に位置する外側頂壁１６ｂを備えている。ここで、内側頂壁１６ａと外側頂壁１６ｂとの間には、これらを周方向に間欠的に連結する弱化部１６ｆが設けられている。なお、弱化部１６ｆは内側頂壁１６ａと外側頂壁１６ｂとを破断可能に連結するものであればよく、例えば厚みを薄くして内側頂壁１６ａと外側頂壁１６ｂとを全周に亘って連結させてもよい。また識別体１６は、先に説明した下向き突起６ｃ、側壁６ｄ、爪部６ｅと同様の構成になる下向き突起１６ｃ、側壁１６ｄ、爪部１６ｅを備えている。
【００３１】
このような形態になる混合容器１１においても、第２剤を投入するにあたっては、まず、バージンリング７を取り除く作業を行う。そして、キャップ５を締め込むことによって、シール部４ｂは刃部３ｃによって破断し、充填空間Ｓ２から第２剤が流出して、連通口３ｂを通して収容空間Ｓ１の第１剤と混合させることができる。
【００３２】
また、キャップ５を締め込むことによって、壁部４ａの下端部が天壁３ａの上面に当接し、充填体４がキャップ５に対して上方へ移動して、識別体１６の下向き突起１６ｃに押し当たるため、内側頂壁１６ａには上方へ向かう力が作用する。これにより弱化部１６ｆが破断して、内側頂壁１６ａが脱落する。すなわち、本実施形態にあっては、内側頂壁１６ａが脱落しているか否かによって第２剤の投入の有無を判別することができる。更に、本実施形態の識別体１６では、弱化部１６ｆが破断して内側頂壁１６ａが脱落するため、キャップ５に対して内側頂壁１６ａを再び取り付けることはできない。このため、第２剤が投入されているのに内側頂壁１６ａが残っている、という状態になることがなく、第２剤の投入の有無を常に正しく判別することができる。
【００３３】
本発明に従う混合容器にあっては、更に別の実施形態とすることも可能である。図５〜図６は、本発明に従う混合容器の第３実施形態を示している。本実施形態の混合容器２１は、第１実施形態の識別体６に換えて識別体２６を備えるものである。
【００３４】
識別体２６は、先に説明した内側頂壁６ａ、外側頂壁６ｂ、下向き突起６ｃ、側壁６ｄ、爪部６ｅと同様の構成になる内側頂壁２６ａ、外側頂壁２６ｂ、下向き突起２６ｃ、側壁２６ｄ、爪部２６ｅを備えている。ここで、図５（ｂ）の拡大図、及び図６（ｂ）に示すように側壁２６ｄには、部分的に側壁２６ｄを切り欠く凹所２６ｇが設けられていて、凹所２６ｇには、上部が側壁２６ｄに一体に連結するとともに、下方に向かうにつれて径方向外側に広がる弾性片２６ｈが設けられている。本実施形態の弾性片２６ｈは、周方向に等間隔で合計８個設けられている。なお、組み立て時に識別体２６をキャップ５に取り付けるにあたっては、例えば環状をなす治具等によって弾性片２６ｈを全て内側に撓ませておき、この状態で内側環状壁５ｇと外側環状壁５ｊの間に側壁２６ｄを挿入すればよい。
【００３５】
このような形態になる混合容器２１においても、まず、バージンリング７を取り除く作業を行う。そして、キャップ５を締め込めば、シール部４ｂが刃部３ｃによって破断し、充填空間Ｓ２から流出する第２剤は、連通口３ｂを通して収容空間Ｓ１に導入されて第１剤と混合される。
【００３６】
また、キャップ５を締め込むと、壁部４ａの下端部が天壁３ａの上面に当接して充填体４がキャップ５に対して上方へ移動する。これにより、壁部４ａの上面が下向き突起２６ｃに押し当たるため、識別体２６にも上方へ向かう力が作用し、係止部５ｈと爪部２６ｅとの係合が解かれて、識別体２６がキャップ５から脱落する。すなわち、本実施形態においても、識別体２６がキャップ５に残っているか否かによって、第２剤の投入の有無を判別することができる。更に本実施形態の識別体２６は、キャップ５から脱落することによって、図６（ｂ）に示すように弾性片２６ｈが側壁２６ｄから離れる向きに復元するため、識別体２６を再度キャップ５に取り付けようとしても、弾性片２６ｈが外側環状壁５ｊに干渉することになる。このため、識別体２６の再装着が防止され、第２剤の投入の有無を常に正しく判別することができる。
【００３７】
本発明に従う混合容器は、これまでに説明した実施形態に限られるものではなく、特許請求の範囲に従う範疇で種々の変更を加えたものも含まれる。例えばキャップ５は、上述した実施形態のようにねじによって下方に移動するものに限られず、例えばベース３に上下方向に延在する溝を設け、キャップ５にはこの溝に適合する凸部を設けて、スライドさせることによって下方に移動できるように構成してもよい。また上述した実施形態にあっては、内側環状壁５ｇに係止部５ｈを設けたが、これを外側環状壁５ｊに設けるとともに、識別体６、１６、２６の爪部６ｅ、１６ｅ、２６ｅを径方向外側に突出するように構成してもよい。また、識別体６、１６、２６は、下向き突起６ｃ、１６ｃ、２６ｃを介して壁部４ａの上面に当接するようにしているが、下向き突起を省略して壁部４ａの上面が内側頂壁６ａ、１６ａ、２６ａに直接当接するように構成してもよい。
【符号の説明】
【００３８】
１：混合容器
２：容器本体
２ａ：口部
２ｂ：胴部
２ｃ：外向き突起
３：ベース
３ａ：天壁
３ｂ：連通口
３ｃ：刃部
３ｄ：シール壁
３ｅ：筒状壁
３ｆ：雄ねじ部
３ｇ：周壁
３ｈ：内向き突起
３ｊ：凸部
４：充填体
４ａ：壁部
４ｂ：シール部
５：キャップ
５ａ：内周壁
５ｂ：連結片
５ｃ：フランジ部
５ｄ：外周壁
５ｅ：雌ねじ部
５ｆ：段差壁
５ｇ：内側環状壁
５ｈ：係止部
５ｊ：外側環状壁
６：識別体
６ａ：内側頂壁
６ｂ：外側頂壁
６ｃ：下向き突起
６ｄ：側壁
６ｅ：爪部
７：バージンリング
７ａ：リング本体
７ｂ：凹部
７ｃ：指掛け部
１１：混合容器
１６：識別体
１６ａ：内側頂壁
１６ｂ：外側頂壁
１６ｃ：下向き突起
１６ｄ：側壁
１６ｅ：爪部
１６ｆ：弱化部
２１：混合容器
２６：識別体
２６ａ：内側頂壁
２６ｂ：外側頂壁
２６ｃ：下向き突起
２６ｄ：側壁
２６ｅ：爪部
２６ｇ：凹所
２６ｈ：弾性片
Ｓ１：収容空間
Ｓ２：充填空間
【図１】
2018203300.tif 000003
【図２】
2018203300.tif 000004
【図３】
2018203300.tif 000005
【図４】
2018203300.tif 000006
【図５】
2018203300.tif 000007
【図６】
2018203300.tif 000008